(57)【要約】【課題】  剥がした痕跡の残る開封防止シールにおいて、シール貼付責任者等必要事項を明確化でき、表面の保護等の可能な開封防止シールを提供する。  また、発送者が使用している段ボール等の梱包、封筒の封印において、運送会社のセキュリティパック用として、エンドレステープ状開封防止シールを提供する。【解決手段】  物品の開封部位に貼付され、剥がした痕跡の残る開封防止シールにおいて、シールを貼付する際、部分ラミネート部を剥がして印あるいはサイン等をしてフィルムで被覆し、貼付責任者の明確化および表面を保護すべく、アルミ蒸着タイプの基材上の一部に部分ラミネートを具備して成ることを特徴とする。【選択図】  図２
2006139235.tif 000002
【特許請求の範囲】
【請求項１】
物品の開封部位に貼付され、剥がした痕跡の残る開封防止シールにおいて、シールを貼付する際、部分ラミネート部を剥がして印あるいはサイン等をしてフィルムで被覆し、貼付責任者の明確化および表面を保護すべく、アルミ蒸着タイプの基材上の一部に部分ラミネートを具備して成ることを特徴とする開封防止シール。
【請求項２】
物品の開封部位に貼付され、剥がした痕跡の残る開封防止シールにおいて、シールを貼付する際、部分ラミネート部を剥がして印あるいはサイン等をしてフィルムで被覆し、貼付責任者の明確化および表面を保護すべく、フィルムタイプの基材上の一部に部分ラミネートを具備して成ることを特徴とする開封防止シール。
【請求項３】
請求項１ないし２のいずれか１項に記載の開封防止シールにおいて、段ボールの梱包・封筒の封印等に供するエンドレステープとすることを特徴とする開封防止シール。
【請求項４】
請求項１ないし３のいずれか１項に記載の開封防止シールにおいて、基材表面にホログラムのフィルムを貼付及び／または印刷をすることを特徴とする開封防止シール。
【請求項５】
請求項１ないし４のいずれか１項に記載の開封防止シールにおいて、表面にマイクロ文字を印刷することを特徴とする開封防止シール。
【請求項６】
請求項１ないし５のいずれか１項に記載の開封防止シールにおいて、表面にブラックライト用の印刷することを特徴とする開封防止シール。
【請求項７】
請求項１ないし６のいずれか１項に記載の開封防止シールにおいて、共振回路を内蔵することを特徴とする開封防止シール。
【請求項８】
請求項１ないし６のいずれか１項に記載の開封防止シールにおいて、ＩＣタグを内蔵することを特徴とする開封防止シール。
【発明の詳細な説明】
【技術分野】
【０００１】  本発明は、封印の必要とする物品の開封部分に貼付けて用いられる開封防止シールに係り、その物品不正開封の発生の有無を容易に確認することができ、特に貼付責任者を明確にすることが可能な開封防止シールに関するものである。
【背景技術】
【０００２】  従来の技術として、開閉式容器の開閉部分に強固に貼付けて用いられるシールにおいて、前記シール本体の主基材を着色して成ることを特徴とする開封防止シールがある。（特許文献１参照）【０００３】  また、別の従来技術として、物品の開封部分に貼付される開封防止シールにおいて、基材層上に、所定の色相に着色された着色層、透明剥離層、透明保護層を順次積層し、かつラミネートしてなるシール本体と、前記シール本体の前記基材層側に形成された接着層とを備えて成ることを特徴とする開封防止シールがある。（特許文献２参照）
【特許文献１】  実用新案公開平６−３２３５７号公報
【特許文献２】  特許公開平６−２８６７６９号公報
【発明の開示】
【発明が解決しようとする課題】
【０００４】  しかしながら、上記前者及び後者においては、その痕跡を残さずにシールを剥がすことは困難であるが、不正行為の有無を確認するのみの機能・効果にすぎない。
つまり、物品、個人情報等を管理する上で、貼付責任者、貼付年月日等が不明で追跡調査を極めて困難としている。【０００５】  そこで、本発明は上述のような問題を解決するために成されたもので、シール貼付責任者等必要事項を明確化でき、表面の保護等の可能な開封防止シールを提供することを目的とする。
また、発送者が使用している段ボール等の梱包、封筒の封印において、運送会社のセキュリティパック用として、エンドレステープ状開封防止シールを提供することを目的とする。
【課題を解決するための手段】
【０００６】  上記目的を達成するために、物品の開封部位に貼付され、剥がした痕跡の残る開封防止シールにおいて、シールを貼付する際、部分ラミネート部を剥がして印あるいはサイン等をしてフィルムで被覆し、貼付責任者の明確化および表面を保護すべく、アルミ蒸着タイプの基材上の一部に部分ラミネートを具備して成ること。また、物品の開封部位に貼付され、剥がした痕跡の残る開封防止シールにおいて、シールを貼付する際、部分ラミネート部を剥がして印あるいはサイン等をしてフィルムで被覆し、貼付責任者の明確化および表面を保護すべく、フィルムタイプの基材上の一部に部分ラミネートを具備して成ること。さらに、段ボールの梱包・封筒の封印等に供するエンドレステープとすること。さらにまた、基材表面にホログラムのフィルムを貼り付けるか、印刷をすること。表面にマイクロ文字を印刷すること。表面にブラックライト用の印刷すること。その上、共振回路を内蔵すること。ＩＣタグを内蔵することを特徴とする。
【発明の効果】
【０００７】  本発明の開封防止シールにおいては、基材状上に部分ラミネートすることにより、物品の開封部位に貼付する場合、責任者の印、サイン、日付等を記入し、剥離紙を取り部分ラミネートの粘着フィルムで記入事項にラミネートする。これにより貼付責任者、有効期間の明確化さらに重要度をより明確化できセキュリティレベルの指定を付与することとなり、その効力を明確化でき、表面を保護できる。
また、本発明の開封防止シールのエンドレステープにおいては、段ボールの梱包、封筒の封印等運送会社のセキュリティ性を付与する。
以上説明したように本発明によれば、基材層上の一部に部分ラミネートを備えた構成にしたので、貼付者の押印やサイン、日付等の記入により、責任者を明確にし、かつ表面を保護することが可能な開封防止シールが提供できる効果がある。
【発明を実施するための最良の形態】
【実施例】
【０００８】  以下、本発明の一実施例について図面を参照して詳細に説明する。
図１・図２は、本発明による第１・２実施例における開封防止シールの構成例を示す断面図である。
すなわち、図１に示すように、本実施例の開封防止シール１は、アルミ蒸着基材５上に所定の印刷をした表面印刷層６の上に透明保護フィルム７の下面一端に設けた粘着剤４ａにて貼り付け、他の下面に粘着剤４ｂ及び剥離紙３ａを設けてある。
なお、アルミ蒸着基材５の下面に各商材に取り付けるべく粘着剤４、剥離紙３を設けてある。
図２に示すように、他の実施例の開封防止シール２は、両面（表面印刷層６ａ・裏面印刷層９）に所定の印刷をしたフィルム基材８の裏面に粘着剤４ｃを塗布、剥離紙３ｂの積層体の上に透明保護フィルム２７を所要部分にラミネートし、下面一端に設けた粘着剤２４ａにて貼り付け、他の下面に粘着剤２４ｂ及び剥離紙２３ａを設けてある。
なお、裏面印刷層は、剥した時、文字等が貼り付けた商材に残るものである。【０００９】  ここで、透明保護フィルムは、ポリプロピレン、ポリスチレン、ポリエステル等のフィルムが用いられる。【００１０】  従って、貼付する際に透明保護フィルム７（２７）の剥離紙３ａ（２３ａ）が付いている部分まで剥がし、表面印刷層６（６ａ）に貼付者の押印やサイン、日付等を記入後、剥離紙３ａ（２３ａ）を剥がして透明保護フィルム７（２７）でラミネートすることにより、貼付責任者を明確化し表面を保護することが可能となる。【００１１】  図３は、本実施例の上記開封防止シール１ないし２を連続させて、エンドレステープとした開封防止シール３１の使用例を示すものである。
このようにしたテープ状の開封防止シール３１を運送会社の社名入りセキュリティパック用として、段ボールの梱包・封印、封筒の封印等に使用され、封印貼付者の押印やサイン、日付等を記入後、剥離紙３ａ（２３ａ）を剥がして透明保護フィルム７（２７）でラミネートすることにより、貼付責任者を明確化し表面を保護することが可能となる。【００１２】  また、その他の実施例としてアルミ蒸着タイプ（図１）あるいはフィルムタイプ（図２）の表面印刷層６（６ａ）にホログラムのフィルムを貼り付けるか印刷、マイクロ文字の印刷、ブラックライト用の印刷を施して開封防止シールを形成する。
各々の図示は省略している。【００１３】  さらに、図４の段階別斜視図に示すような実施例として、開封防止シール４１として、上記開封防止シール１ないし２の基材に共振回路やＩＣタグ１１を内蔵することにより、固有の信号や個々の識別を検出することができ、開封防止機能に加えてそのシールが本物か模造品であるかを判別する偽造防止機能を併せ持つことが可能となる。
【図面の簡単な説明】
【００１４】
【図１】  本発明による開封防止シールの第１実施例を示す断面図。
【図２】  本発明による開封防止シールの第２実施例を示す断面図。
【図３】  本発明による開封防止シールの第３実施例を示す断面図。
【図４】  本発明による開封防止シールの第４実施例を示す段階別斜視図。
【符号の説明】
【００１５】１−−−開封防止シール
３−−−剥離紙
３ａ−−剥離紙
３ｂ−−剥離紙
４−−−粘着剤
４ａ−−粘着剤
４ｂ−−粘着剤
４ｃ−−粘着剤
５−−−アルミ蒸着基材
６−−−表面印刷層
６ａ−−表面印刷層
７−−−透明保護フィルム
８−−−フィルム基材
９−−−裏面印刷層
１１−−共振回路あるいはＩＣタグ
２１−−−開封防止シール
２３ａ−−剥離紙
２４ａ−−粘着剤
２４ｂ−−粘着剤
２７−−−透明保護フィルム
３１−−−開封防止シール
４１−−−開封防止シール
【図１】
2006139235.tif 000003
【図２】
2006139235.tif 000004
【図３】
2006139235.tif 000005
【図４】
2006139235.tif 000006